(57)【特許請求の範囲】
【請求項１】
ハンドル駆動軸上の駆動歯車に噛合する歯部を具備し、ロータと一体的に回転する回転筒軸と、先端部にスプールを支持し、前記回転筒軸内に挿通されて前後動可能なスプール軸とを有し、
前記スプール軸の前記回転筒軸の前方側とロータとの間、及び後方側とリール本体との間に夫々軸受を介在させ、これらの軸受を介して前記スプール軸を前記回転筒軸の内周に接触しない状態で前後移動可能に支持した魚釣用スピニングリールにおいて、
前記回転筒軸の歯部後側を、リール本体の支持部に配設した歯部後側軸受で支持すると共に、前記スプール軸の後方側の軸受を、前記歯部後側軸受に対して少なくとも一部が軸方向に重合するように前記リール本体の支持部に設けたことを特徴とする魚釣用スピニングリール。
【発明の詳細な説明】
【０００１】
【発明の属する技術分野】
本発明は、ロータと一体回転する回転筒軸と、この回転筒軸内を前後動するスプール軸の支持構造に特徴を有する魚釣用スピニングリールに関する。
【０００２】
【従来の技術】
通常、魚釣用スピニングリールは、先端にスプールを支持したスプール軸が、ハンドルの巻取り操作に連動回転する回転筒軸の空洞部を前後動するように支持された構造となっている。この場合、スプール軸は、ハンドルの巻取り操作に伴って駆動されるオシレーティング機構により、回転筒軸内を揺動しながら前後動することから、回転筒軸の内周との間で摩擦抵抗を生じてしまい、長期間の使用で摩耗したり、あるいは巻取り時の強負荷によって偏摩耗する等、良好な巻取り性能が維持できなくなってしまう。
【０００３】
また、このような摩耗を抑制すべく、両者の接触面を高精度に仕上げるとコストが高くなってしまい、更には、接触面の仕上げ状態、あるいは油の潤滑性が悪いと、巻取り操作時に食い付きや焼き付き現象が生じたりする等の不具合が生じ易い。
【０００４】
そこで、回転筒軸の内周とスプール軸の外周が直接接触しないように、両者の間に若干の隙間を形成すべく、回転筒軸の前後において、スプール軸を軸受けする技術が実公昭５０−２４５４２号で開示されている。
【０００５】
【発明が解決しようとする課題】
しかしながら、上記した公報に開示されている技術は、回転筒軸に形成され駆動歯車と噛合する歯部の後側支持部の軸方向後方側に、スプール軸の支持部を隣接して配設していることから、軸受部分が軸方向に長くなり、リール本体が軸方向に大型化してしまう。
【０００６】
この発明は、上記した問題に基づいてなされたものであり、巻取り駆動操作の円滑化を図りながら、リール本体の軸方向の小型化を図った魚釣用スピニングリールを提供することを目的とする。
【０００７】
【課題を解決するための手段】
上記した課題を解決するために、本発明に係る魚釣用スピニングリールは、ハンドル駆動軸上の駆動歯車に噛合する歯部を具備し、ロータと一体的に回転する回転筒軸と、先端部にスプールを支持し、前記回転筒軸内に挿通されて前後動可能なスプール軸とを有し、前記スプール軸の前記回転筒軸の前方側とロータとの間、及び後方側とリール本体との間に夫々軸受を介在させ、これらの軸受を介して前記スプール軸を前記回転筒軸の内周に接触しない状態で前後移動可能に支持した構成となっており、前記回転筒軸の歯部後側を、リール本体の支持部に配設した歯部後側軸受で支持すると共に、前記スプール軸の後方側の軸受を、前記歯部後側軸受に対して少なくとも一部が軸方向に重合するように前記リール本体の支持部に設けたことを特徴とする。
【０００８】
上記した構成のように、スプール軸の後方側の軸受を、回転筒軸の歯部後側軸受に、少なくとも一部が軸方向において重合するように形成したことで、その重合する分、軸方向におけるスペースの効率化が図れ、リール本体の小型化が可能となる。また、スプール軸が回転筒軸の内周に接触しない状態で前後移動可能に支持されていることから、両者の間で摩擦等が生じることはなく、円滑な巻取り操作が行なえる。
【０００９】
【発明の実施の形態】
図１〜図３は、本発明の第１の実施形態を示す図であり、図１は、魚釣用スピニングリールの全体構成を示した部分断面図、図２は、スプール軸の前方側の支持部分を拡大して示す図、図３は、スプール軸の後方側の支持部分を拡大して示す図である。
【００１０】
魚釣用スピニングリール１は、釣竿に装着するための脚部２ａが形成されたリール本体２と、リール本体前方に回転可能に配されたロータ３と、ロータ３の回転運動と同期して前後動可能に支持されたスプール５とを有している。
【００１１】
前記ロータ３は、円筒部３ａと一対のベール支持部材（図示せず）が設けられており、各支持部材の先端には、ベール３ｂを保持したベール支持アーム３ｃが釣糸巻取り位置と釣糸放出位置との間で反転可能に支持されている。
【００１２】
前記スプール５は、釣糸が巻回される巻回胴部５ａと、この巻回胴部５ａに巻回される釣糸を規制する前フランジ５ｂ及びスカート部５ｃとを有しており、スカート部５ｃは、前記ロータ３の円筒部３ａを覆っている。
【００１３】
リール本体２内には、ハンドル軸７が回転可能に支持されており、その突出端部には、ハンドル８が取り付けられている。ハンドル軸７には、以下に述べる駆動機構が係合しており、前記ロータ３及びスプール５は、ハンドル８を巻取り操作することで、この駆動機構を介して、夫々回転駆動及び前後動されるようになっている。
【００１４】
駆動機構は、前記ハンドル軸７に取り付けられる駆動歯車（フェースギヤ）１０と、ハンドル軸７と直交する方向に延出し、内部に軸方向に延出する空洞部が形成された回転筒軸１２とを備えている。この回転筒軸１２の後方側には、駆動歯車１０に噛合するように歯部１２ａが形成されており、その前部には、回転筒軸と一体回転するように前記ロータ３が取り付けられている。
【００１５】
ロータ３の回転筒軸１２に対する取付けは、図２に示すように、ロータの前壁部３ｄの中央に形成された嵌合孔３ｅを回転筒軸１２の外周に対して回り止め固定すると共に、回転筒軸１２の先端部に形成された雄螺子部１２ｂに対して、ロータナット１３を螺入することでなされる。この場合、前壁部３ｄの中心部には、嵌合孔３ｅと同芯で嵌合孔３ｅよりも大径の凹所３ｆが形成されており、ここにロータナット１３に形成された袋螺子部１３ａが嵌合されて、ロータ３は抜け止めされた状態で回転筒軸１２に取り付けられている。
【００１６】
また、回転筒軸１２は、後述するように、リール本体に対して、軸方向に複数箇所配設される軸受を介して、安定して回転できるように支持されており、その空洞部には、ハンドル軸７と直交する方向に延出し、先端側にスプール５を支持したスプール軸１５が軸方向に移動可能に挿通されている。
【００１７】
この場合、スプール軸１５は、その外周が回転筒軸１２の空洞部の内周と接触しないように、すなわち両者の間に隙間が形成されるように、回転筒軸１２の前方側においてロータ３との間で支持されると共に、回転筒軸１２の後方側においてリール本体２との間で支持されている。本実施の形態では、回転筒軸１２の前方側における支持は、前記ロータ３を固定するロータナット１３との間に介在される軸受１７（前方側軸受）でなされ、回転筒軸１２の後方側における支持は、リール本体２内に形成された支持部２ｂに支持された軸受１８（後方側軸受）でなされる。
【００１８】
また、スプール軸１５の後端部には、スプール軸を前後動させるオシレート機構が配設されている。本実施形態におけるオシレート機構は、スプール軸１５の後端部に取り付けられ、スプール軸に対して略直交する方向に延出する長孔２０ａを有する摺動体２０と、前記駆動歯車１０と一体的に設けられた歯車１０ａに噛合する連動歯車２２とを備えており、連動歯車２２には、径方向外側に、前記長孔２０ａと係合する偏芯突部２２ａが突設されている。
【００１９】
これにより、連動歯車２２がハンドル８の回転操作に伴って駆動歯車１０を介して回転すると、偏芯突部２２ａは、その回転軌跡により長孔２０ａ内を上下動し、摺動体２０（スプール軸１５）を前後動させる。
【００２０】
リール本体２には、ロータ３の逆回転を防止するように逆転防止機構が設けられている。本実施形態の逆転防止機構は、転がり式の一方向クラッチ２５によって構成されており、この一方向クラッチは、リール本体２の前部に突出形成された筒部２ｃと回転筒軸１２との間に配設されている。
【００２１】
一方向クラッチ２５は、回転筒軸１２に回り止め固定された内輪２６と、リール本体の筒部２ｃに回り止め固定された外輪２７と、内輪及び外輪との間に配され、保持器２８によって保持された複数のコロ２９を備えて構成されている。この場合、保持器２８は、リール本体の外部に配設された操作レバー（図示せず）によって所定角度回動可能に構成されており、この操作レバーを切換操作することで、回転筒軸１２を正逆転可能状態／逆転防止状態に切換えできるように構成されている。なお、切換操作できない逆転防止状態だけの構成であっても良い。
【００２２】
リール本体の筒部２ｃの開口部分には、支持体３０が嵌合されており、一方向クラッチ２５の抜け止めを果たすと共に、回転筒軸１２を前方側で支持する軸受３１を支持している。また、筒部２ｃの先端部分には、キャップ状の抜け止めカバー３３が、筒部の外周との間で螺合されており、筒部２ｃの開口を覆って前記一方向クラッチ２５及び支持体３０等を抜け止め規制している。
【００２３】
なお、回転筒軸１２は、上述したように、前記軸受３１以外の複数箇所、具体的には、歯部１２ａの前側及び後側において、リール本体２との間で、夫々軸受（歯部前側軸受）３７及び軸受（歯部後側軸受）３８によって支持されている。そして、上記したような回転筒軸１２、スプール軸１５の支持構造において、前記スプール軸１５の後方側軸受１８は、図３に示されるように、回転筒軸１２の歯部後側軸受３８との間で、少なくとも一部が軸方向において重合するように形成されている。
【００２４】
具体的には、回転筒軸１２の歯部１２ａの後方側には、軸方向に突出する環状支持部１２ｃが形成されており、この環状支持部１２ｃと前記リール本体の支持部２ｂとの間に軸受３８が支持されている。この場合、環状支持部１２ｃは、軸受３８の軸方向長さの略半分程度まで延出して軸受３８の内輪部を支持しており、残りの部分に後方側軸受１８の先端側１８ａが入り込んで環状支持部１２ｃと対向することで、後方側軸受１８の一部が、歯部後側軸受３８に重合した状態となっている（図において、重合する範囲を符号Ａで示してある）。
【００２５】
以上のように構成された魚釣用スピニングリールによれば、ハンドル８を巻取り操作することで、ロータ３が駆動歯車１０及び回転筒軸１２を介して回転駆動され、かつスプール５が歯車１０ａ、連動歯車２２、摺動体２０及びスプール軸１５を介して前後動されるので、釣糸は、ロータ３のベール支持アーム３ｃに設けられた釣糸案内部（図示せず）を介してスプールに対して均等に巻回される。
【００２６】
なお、上記した構成によれば、回転筒軸１２の空洞部の内周とスプール軸１５の外周とは、接触しないような支持構造、すなわち回転筒軸１２の回転及びスプール軸１５の前後動に際しては、両者は接触しないようになっているため、巻取り駆動操作を円滑に行なうことができる。また、前方側軸受１７は、ロータ３の凹所３ｆ内に、中心部分が入り込むロータナット１３によって支持されているため、その支持状態が安定する。
【００２７】
そして、スプール軸１５の後方側軸受１８を、回転筒軸１２の歯部後側軸受３８に対し、少なくとも一部が軸方向において重合するように形成したことで、スプール軸１５の充分な支持長さの維持を図りながら軸受部分の軸方向の短縮化が図れ、リール本体の小型化が可能となり、魚釣操作性、携帯性が向上する。
【００２８】
次に、本発明の別の実施形態について説明する。なお、以下に説明する実施形態では、魚釣用スピニングリールの全体構成についてはその説明を省略し、スプール軸の後方側の支持部分のみを図示して、上記した実施形態と異なる部分について説明する。
【００２９】
図４は、本発明の第２の実施形態を示す図である。
この実施形態では、回転筒軸１２の歯部１２ａの後方側に、軸方向に突出する環状支持部１２ｃが形成されており、この環状支持部１２ｃとリール本体の支持部２ｂとの間で歯部後側軸受３８が支持されている。環状支持部１２ｃには、先端側内周に、環状切欠部１２ｄが形成されており、この部分に、後方側軸受１８の先端側１８ａが入り込むことで、後方側軸受１８の一部が、歯部後側軸受３８に重合した状態となっている。
【００３０】
このような構成によれば、環状切欠部１２ｄの軸方向長さを長くすることで、重合長さＡをより長くすることが可能となり、さらに軸受部の軸方向の短縮化が図れ、リール本体の小型化が可能となる。
【００３１】
図５は、本発明の第３の実施形態を示す図である。
この実施形態では、リール本体２内に形成されたの支持部２ｅが、歯部後側軸受３８を支持すると共に、スプール軸１５を支持する軸受（後方側軸受）としての機能を有している。そして、上記第２実施形態と同様、回転筒軸１２の歯部１２ａの後方側に、軸方向に突出する環状支持部１２ｃが形成され、この環状支持部１２ｃと支持部２ｅとの間で歯部後側軸受３８が支持されている。
【００３２】
前記環状支持部１２ｃには、先端側内周に環状切欠部１２ｄが形成されており、この部分に、支持部２ｅに一体的に形成され、スプール軸１５の外周と接触する環状軸受部２ｅ´の先端側が入り込むことで、後方側軸受の一部が、歯部後側軸受３８に重合した状態となっている。なお、支持部２ｅの環状軸受部２ｅ´には、樹脂製のカラー４０が軸方向に移動できないように保持されており、このカラー４０の内周がスプール軸１５の外周と接触することでスプール軸を支持している。
【００３３】
このような実施形態によれば、上記した実施形態で得られる効果に加え、リール本体の支持部及びスプール軸の後方側軸受の構成が簡略化される。
【００３４】
図６は、本発明の第４の実施形態を示す図である。
この実施形態では、回転筒軸１２の歯部１２ａの後方側に突出形成された環状延出部１２ｅが歯部後側軸受としての機能を有すると共に、リール本体２内に形成された支持部２ｆが、歯部後側軸受を支持し、かつスプール軸１５を支持する軸受（後方側軸受）としての機能を有している。
【００３５】
リール本体の支持部２ｆには、スプール軸１５と接触する環状軸受部２ｆ´が一体的に形成されると共に、その径方向外側には、前記環状延出部１２ｅを収容するように、環状溝部２ｈが形成されており、環状延出部１２ｅは環状溝部２ｈの外周側と接触している。
【００３６】
このような構成によれば、重合長さＡをより長くすることが可能になり、さらに軸受部の軸方向の短縮化が図れ、リール本体の小型化が可能となる。また、軸受として、転がり式のものを用いないため、構造が簡略化されてコストの低減が図れる。
【００３７】
なお、この実施形態においても、リール本体の支持部２ｆに、スプール軸１５と接触する部分、及び環状延出部１２ｅと接触する部分に、樹脂製のカラーを介在させても良い。
【００３８】
以上、本発明の実施形態について説明したが、本発明は、ロータと一体回転する回転筒軸と、この回転筒軸内を前後動するスプール軸の支持構造に特徴を有しており、それ以外の構成については、上記した実施形態に限定されるものではない。例えば、本発明は、図示したオープンフェースタイプの魚釣用スピニングリール以外にも、クローズドフェースタイプの魚釣用スピニングリール等にも適用することが可能である。また、軸受については、回転筒軸１２及びスプール軸１５を回転可能及び前後動可能に支持する構成であれば良く、その構造については特に限定されるものではない。
【００３９】
【発明の効果】
本発明によれば、スプール軸の充分な支持長さの維持を図りながら円滑な巻取り操作が行なえ、しかも、スプール軸の軸受部の軸方向長さが短縮化されることで、リール本体の軸方向における小型化が可能となる。
【図面の簡単な説明】
【図１】本発明の第１の実施形態を示す図であり、魚釣用スピニングリールの全体構成を示した部分断面図。
【図２】スプール軸の前方側の支持部分を拡大して示す図。
【図３】スプール軸の後方側の支持部分を拡大して示す図。
【図４】本発明の第２の実施形態を示す図であり、スプール軸の後方側の支持部分を拡大して示す図。
【図５】本発明の第３の実施形態を示す図であり、スプール軸の後方側の支持部分を拡大して示す図。
【図６】本発明の第４の実施形態を示す図であり、スプール軸の後方側の支持部分を拡大して示す図。
【符号の説明】
１  魚釣用スピニングリール
３  ロータ
５  スプール
１２  回転筒軸
１２ａ  歯部
１５  スプール軸
１７  軸受（前方側軸受）
１８  軸受（後方側軸受）
３８  軸受（後方側軸受）
【図１】
0003976305.tif 000002
【図２】
0003976305.tif 000003
【図３】
0003976305.tif 000004
【図４】
0003976305.tif 000005
【図５】
0003976305.tif 000006
【図６】
0003976305.tif 000007